(57)【要約】【課題】ディスプレイの上部にカメラ設置スペースを設けることなく、カメラ機能を提供する。【解決手段】ディスプレイ１１とカメラユニット１２とを別体に備え、カメラユニット１２は、ディスプレイ１１の裏面に設けた回動するヒンジ１３によりディスプレイ１１に連結し、ヒンジ１３の回動に伴ってヒンジ１３を軸に回動する。カメラユニット１２が回動可能な範囲の一端にあるとき、カメラユニット１２の有する撮像デバイス１５が、ディスプレイ１１の表面側を撮像可能な位置とする。カメラユニット１２が回動可能な範囲の別の一端にあるとき、カメラユニット１２は、ディスプレイ１１の表面側から不可視となる。【選択図】図１
2016144195.tif 000002
【特許請求の範囲】
【請求項１】
ディスプレイとカメラユニットとを別体に備え、
前記カメラユニットは、前記ディスプレイの裏面に設けた回動するヒンジにより前記ディスプレイに連結し、前記ヒンジの回動に伴って前記ヒンジを軸に回動し、
前記カメラユニットが回動可能な範囲の一端にあるとき、前記カメラユニットの有する撮像デバイスが、前記ディスプレイの表面側を撮像可能な位置となり、
前記カメラユニットが回動可能な範囲の別の一端にあるとき、前記カメラユニットは、前記ディスプレイの表面側から不可視となる
ことを特徴とする、情報処理装置。
【請求項２】
前記ディスプレイは、裏面に、前記カメラユニットが回動可能な範囲の別の一端にあるとき、前記カメラユニットが収まる窪み部を有することを特徴とする、請求項１に記載の情報処理装置。
【請求項３】
前記カメラユニットの回動位置に連動する連動スイッチを有し、
前記連動スイッチは、前記カメラユニットを利用するアプリケーションの起動と終了を切り替えることを特徴とする、請求項１又は２に記載の情報処理装置。
【発明の詳細な説明】
【技術分野】
【０００１】
本発明は、情報処理装置に関し、特に、周辺機器の設置構造に関する。
【背景技術】
【０００２】
パーソナルコンピュータ等の技術分野においては、入力装置であるカメラとマイクをモジュール化することが従来行われている。カメラ・マイク・モジュールの設置場所としては、ディスプレイの周縁部とすることが一般的であった（例えば、特許文献１、特許文献２）。
【先行技術文献】
【特許文献】
【０００３】
【特許文献１】特開２０１４−１３０９４７号公報
【特許文献２】特開２００１−２３８１０４号公報
【発明の概要】
【発明が解決しようとする課題】
【０００４】
しかしながら、美観上のメリットなどからディスプレイの表示エリアを拡大し、周縁部を限界まで狭くした場合、カメラ・マイク・モジュールの設置スペースがなくなってしまう。しかし、カメラ・マイクのためにディスプレイの上部に設置スペースを設けると、表示エリアの周縁部が限界まで細くなったことの美観上のメリットが無くなり、本末転倒である。
【０００５】
なお、特許文献２は、回動するカメラユニットを液晶パネル上部に持つノートブック型パーソナルコンピュータの先行例である。ところが、この従来技術においては、カメラが裏を向いても液晶ディスプレイ側からカメラユニットが見えなくなることはない。
【０００６】
本発明は、上記実情に鑑みてなされたものであって、ディスプレイの上部にカメラ設置スペースを設けることなく、カメラ機能を提供することを目的とする。
【課題を解決するための手段】
【０００７】
上記目的を達成するために本発明は、ディスプレイとカメラユニットとを別体に備え、前記カメラユニットは、前記ディスプレイの裏面に設けた回動するヒンジにより前記ディスプレイに連結し、前記ヒンジの回動に伴って前記ヒンジを軸に回動し、前記カメラユニットが回動可能な範囲の一端にあるとき、前記カメラユニットの有する撮像デバイスが、前記ディスプレイの表面側を撮像可能な位置となり、前記カメラユニットが回動可能な範囲の別の一端にあるとき、前記カメラユニットは、前記ディスプレイの表面側から不可視となることを特徴とする。
【発明の効果】
【０００８】
本発明によれば、ディスプレイの上部にカメラ設置スペースを設けることなく、カメラ機能を提供することが可能となる。
【図面の簡単な説明】
【０００９】
【図１】実施形態の情報処理装置１０を斜め後ろ方向から見た図（その１）である。
【図２】実施形態の情報処理装置１０を斜め後ろ方向から見た図（その２）である。
【図３】実施形態の情報処理装置１０を裏面及び側面から見た概念図である。
【図４】実施形態の機能構成を示すブロック図である。
【発明を実施するための形態】
【００１０】
以下、本発明を実施するための形態について図面を参照しながら説明する。
【００１１】
本実施形態において、情報処理装置とは、ディスプレイデバイスと、マザーボードや中央演算装置などの中核となるデバイスとが一体となった筐体を有するパーソナルコンピュータとするが、これは一例に過ぎない。一般的に「パーソナルコンピュータ」として認知されない、デジタルフォトスタンドや、デジタルサイネージを行う装置なども情報処理装置の一例である。
【００１２】
図１と図２に、本実施形態の情報処理装置１０を斜め後ろ方向から見た図を示す。図１はカメラユニット１２の使用時を示し、図２は非使用時（収容時とも言う）を示す。また、情報処理装置１０の構造の理解を容易にするために、図３に裏面及び側面から見た様子を概念的に示す図を示す。
【００１３】
図１ないし図３に示すように、情報処理装置１０は、ディスプレイ１１とカメラユニット１２とを別体に備えている。このカメラユニット１２はさらに、音声を集音するマイクも搭載していることが好ましい。図２に示すように、カメラユニット１２は、図のハッチングの面にＣＣＤ（Charge Coupled Device：撮像デバイス）１５を有する。
【００１４】
また、カメラユニット１２は、ディスプレイ１１の裏面に設けた回動するヒンジ１３によってディスプレイ１１に連結している。このヒンジ１３には図３に示すように回転の軸があり、回動する。そして、図１及び図２に示すようにカメラユニット１２は、ヒンジ１３の回動に伴って、ヒンジ１３を軸に回動する。
【００１５】
ディスプレイ１１は、例えば、液晶方式による表示装置とするが、他の方式により表示を行うものであってもよい。また、ヒンジ１３は、ディスプレイ１１の裏面と上面をつなぐ辺を軸としてもよい。本実施形態においては、当該辺を下方に所定の距離ずらした線部を軸の中心とすることにした。このようにすることで、カメラユニット１２の非使用時に、カメラユニット１２がディスプレイ１１の裏側に完全に隠れ、正面からは不可視となる。
【００１６】
回動範囲は、本実施形態においては、１８０°とした。このようにすることで、カメラユニット１２の非使用時に、カメラユニット１２がディスプレイ１１の裏側に完全に隠れ、正面からは不可視となるため、すっきりとした見栄えになり、美観上のメリットがある。
【００１７】
また、図１ないし図３に示すように、カメラユニット１２は、ディスプレイ１１の上部に来る位置にある場合、ＣＣＤ１５がディスプレイ１１の正面（ディスプレイ１１の表面側）を向く。言い換えれば、カメラユニット１２が回動可能な範囲の一端にあるとき、ＣＣＤ１５が、ディスプレイ１１の表面側を撮像可能な位置となる（図１及び図３）。したがって、カメラを使用可能な状態とすることができ、カメラ機能を提供することができる。
【００１８】
一方で、カメラユニット１２が回動可能な範囲の別の一端にあるとき、カメラユニット１２は、ディスプレイ１１の表面側から不可視となる（図２）。したがって、すっきりとした見栄えになり、狭額縁を活かした意匠を提供することができる。
【００１９】
また、図１、図２に示すように、ディスプレイ１１の裏面に、カメラ非使用時、カメラユニット１２が収まる窪み部１４を設けることが好ましい。図３の概念図に示すような態様とは異なり、カメラ非使用時に側面から見てもカメラユニット１２が不可視となり、よりすっきりとした見栄えにすることができる。
【００２０】
図４に、本実施形態の機能構成を示すブロック図を示す。図４に示すように、情報処理装置１０では、中央演算装置などのハードウェアをオペレーティングシステム１０１等が利用して所定の情報処理を行うことによって、制御部１００が構成される。制御部１００を構成するソフトウェアとしては、他に、カメラドライバ１０２、アプリケーション１０３等がある。
【００２１】
また、図４に示すように、情報処理装置１０は、制御部１００からヒンジ１３を通ってカメラユニット１２へ至る制御線上に、連動スイッチ１３１を有する。連動スイッチ１３１は、ヒンジ１３内部に設けられ、回動するカメラユニット１２の位置を検知する機能を有する。制御部１００は、連動スイッチ１３１が検知したカメラユニット１２の位置を取得し、カメラユニット１２の位置に応じて、アプリケーション１０３にコマンドを出す機能を備える。
【００２２】
少なくとも、制御部１００は、カメラユニット１２の位置に連動して、このカメラユニット１２を利用するアプリケーション１０３の起動と終了とを切り替える機能を備える。好ましくは、カメラユニット１２が正面を撮像できる状態（図１）のとき、カメラユニット１２を使用するアプリケーション１０３を起動し、非使用又は収容（図２）のとき、アプリケーション１０３を終了させるように構成することが好ましい。
【００２３】
上述のように構成すると、ユーザは、カメラユニット１２を正面に起こすことで、ヒンジケース内の連動スイッチ１３１が作動し、すぐにカメラアプリケーション１０３を使用することができる。また、裏側に倒すと、連動スイッチ１３１によってアプリケーション１０３を終了させることができる。
【符号の説明】
【００２４】
１０    情報処理装置
１１    ディスプレイ
１２    カメラユニット
１３    ヒンジ
１３１    連動スイッチ
１４    窪み部
１５    ＣＣＤ（Charge Coupled Device）
【図１】
2016144195.tif 000003
【図２】
2016144195.tif 000004
【図３】
2016144195.tif 000005
【図４】
2016144195.tif 000006